(57)【要約】【課題】本発明は宅内の災害についての異常を検知して、使用者に適切な避難を促す家電機器の提供を目的とする。【解決手段】家電機器１は、災害についての異常を検知して異常検知情報を生成する異常検知部１７と、異常検知情報を受信する制御部１１と、画像表示部１３と、音声出力部１４と、記憶部１５と、を備え、記憶部１５には、避難を促す避難用画像データおよび避難を促す避難用音声データが予め記憶されており、制御部１１は、異常検知情報を受信すると、異常検知情報に基づく画像データおよび音声データを画像表示部１３、音声出力部１４のそれぞれに出力させ、避難用画像データおよび避難用音声データを画像表示部１３、音声出力部１４のそれぞれに出力させる。【選択図】図１
2016143253.tif 000002
【特許請求の範囲】
【請求項１】
災害についての異常を検知して異常検知情報を生成する異常検知部と、
前記異常検知情報を受信する制御部と、
画像表示部と、
音声出力部と、
記憶部と、
を備え、
前記記憶部には、避難を促す避難用画像データおよび避難を促す避難用音声データが予め記憶されており、
前記制御部は、前記異常検知情報を受信すると、前記異常検知情報に基づく画像データおよび音声データを前記画像表示部、前記音声出力部のそれぞれに出力させ、避難用画像データおよび避難用音声データを前記画像表示部、前記音声出力部のそれぞれに出力させる、
家電機器。
【請求項２】
前記避難用画像データは、避難行動を指示する画像のデータを含み、
前記避難用音声データは、避難行動を指示する音声のデータを含む、
請求項１に記載の家電機器。
【請求項３】
前記避難用画像データおよび前記避難用音声データは、ユーザーが予め設定した内容に基づくデータである、
請求項２に記載の家電機器。
【請求項４】
有線または無線で他の家電機器と通信を行う通信部をさらに備え、
前記制御部は、前記通信部を介して他の家電機器に前記異常検知情報を送信し、
前記制御部は、前記通信部を介して他の家電機器から前記異常検知情報を受信する、
請求項１から請求項３のいずれか一項に記載の家電機器。
【請求項５】
前記家電機器の電源の起動および停止を行う電源制御部をさらに備え、
前記制御部は、前記異常検知信情報を受信すると、前記電源制御部を制御して前記家電機器の電源の制御を行う、
請求項１から請求項４のいずれか一項に記載の家電機器。
【発明の詳細な説明】
【技術分野】
【０００１】
本発明は家電機器に関し、特に災害による異常を検知してユーザーに避難を促す家電機器に関する。
【背景技術】
【０００２】
近年、各家庭や各団体では防災への意識は高く、避難経路の確認のための避難訓練が行われたり、避難時に必要な避難グッズを揃えたり、避難時の予備知識をテーマとしたテレビ番組を視聴するなど防災に対する備えを行っている。
【０００３】
しかし、いざ避難を行うときには落ち着いて行動することができない可能性もある。例えば、避難グッズの場所を忘れたり、避難経路の選択を誤ったり、不慣れな場所であれば非難行動に移すまで時間を要したりする可能性がある。
【０００４】
このような場合にそれぞれの場所に適切な避難行動の内容を機器に予め記録し、例えば液晶パネルやスピーカによる音声によりユーザーに避難行動を指示する手段が考えられる。特許文献１においては、速報受信手段で緊急地震速報を受信すると画像や音声を用いて避難指示を行う。避難指示を行う装置は、複数種類の指示内容を備えており、設置場所に応じて避難指示を使い分けることができる。
【０００５】
また特許文献２においては、電源中継装置が、各部屋に設置された警報機から警報信号を受信すると、宅内にある家電機器への電力供給の制御を行うものである。例えば、照明器具の電力供給を開始することで非常時であっても暗所の視界を確保する。また、暖房装置の電力供給を停止することで安全な状態を確保する。
【先行技術文献】
【特許文献】
【０００６】
【特許文献１】特開２００６−８１６０１号公報
【特許文献２】実用新案登録第３１７３３００号公報
【発明の概要】
【発明が解決しようとする課題】
【０００７】
上記の特許文献１によれば、速報受信手段が緊急地震速報を受信すると、予め記憶させた各設置場所に適した避難指示を画像や音声を用いて行うことができる。ただし、避難指示を行うのは、速報受信手段が通信手段を用いて地震速報を受信した時のみである。
【０００８】
しかしながら、緊急避難する状況は緊急地震速報を受信した時のみではなく、例えば火災や異常気象による家の倒壊など、通信網を介して情報を受信することのできない状況の方が多いと考えられる。
【０００９】
また、上記の特許文献２によれば、電源中継装置が、各部屋に設置された警報器から警報信号を受信すると、宅内の家電機器への電源制御を行うことができる。
【００１０】
しかしながら、異常検知後に宅内の家電の電源制御を行うだけでは、ユーザーは、離れた場所で災害が起こった場合、災害の具体的な内容を知ることができない。また、ユーザーが、緊急事態において冷静に判断ができない場合は宅内の家電機器の電源制御のみでは緊急避難ができないことも考えられる。加えて、電源と接続していない機器、例えば電池で稼働する機器、ガスコンロなどの制御については避難時に忘れてしまう可能性も考えられる。
【００１１】
本発明は以上のような課題を解決するためになされたものであり、宅内の災害についての異常を検知して、使用者に適切な避難を促す家電機器の提供を目的とする。
【課題を解決するための手段】
【００１２】
本発明に係る家電機器は、災害についての異常を検知して異常検知情報を生成する異常検知部と、異常検知情報を受信する制御部と、画像表示部と、音声出力部と、記憶部と、を備え、記憶部には、避難を促す避難用画像データおよび避難を促す避難用音声データが予め記憶されており、制御部は、異常検知情報を受信すると、異常検知情報に基づく画像データおよび音声データを画像表示部、音声出力部のそれぞれに出力させ、避難用画像データおよび避難用音声データを画像表示部、音声出力部のそれぞれに出力させる。
【発明の効果】
【００１３】
本発明の構成によれば、異常検知部が異常を検知すると、家電機器は、異常検知情報の内容を画像および音声を用いてユーザーに知らせる。また、本発明の構成によれば、家電機器は、予め記憶された避難用画像データおよび避難用音声データを用いてユーザーに避難行動を指示する。従って、冷静な対応が難しい非常事態であっても、ユーザーは適切な避難行動をとることができ、安全性の向上を図ることができる。
【図面の簡単な説明】
【００１４】
【図１】本発明の実施形態に係る家電機器の構成を示すブロック図である。
【図２】相互に通信を行う複数の家電機器を示す模式図である。
【図３】本発明の実施形態に係る家電機器の動作を示すフローチャートである。
【発明を実施するための形態】
【００１５】
＜構成＞
以下に本発明の実施形態を、図面を参照しながら説明する。なお、ここで示す実施の形態は一例であり、本発明はここに示す実施形態に限定されるものではない。
【００１６】
図１は、本実施の形態１における家電機器１の構成を示すブロック図である。図２は相互に通信を行う複数の家電機器１，２，３を示す模式図である。
【００１７】
本実施の形態において家電機器１は例えば液晶テレビであるとする。図１に示すように、家電機器１は、制御部１１と、通信部１２と、画像表示部１３と、音声出力部１４と、記憶部１５と、電源制御部１６と、異常検知部１７と、本来機能部１８とを備える。
【００１８】
異常検知部１７は、災害についての異常を検知する。異常検知部１７は、地震などの揺れを検知したり、煙や急激な温度上昇を検知したり、暴風や水圧を検知するなど、異常事態を検知する。本実施の形態では、例えば、異常検知部１７は室温を常時測定し、室温が予め設定された温度を超えると、制御部１１に異常検知情報を送信する。
【００１９】
制御部１１は、異常検知部１７からの異常検知情報を受信する。制御部１１は例えばＣＰＵであり、記憶部１５に予め記憶されているプログラムを実行することにより制御部１１の機能が実現される。
【００２０】
通信部１２は、異常検知情報を他の家電機器に送信する。画像表示部１３は、例えば液晶ディスプレイである。音声出力部１４は、例えばスピーカである。記憶部１５は例えばＨＤＤ（Ｈａｒｄ  ｄｉｓｋ  ｄｒｉｖｅ）、ＲＡＭ（Ｒａｎｄｏｍ  Ａｃｃｅｓｓ  Ｍｅｍｏｒｙ）等である。記憶部１５には後述する避難行動指示情報（即ち、避難用画像データおよび避難用音声データ）が予め記憶されている。電源制御部１６は、家電機器１の電源起動及び電源停止の制御を行う。
【００２１】
本来機能部１８は、家電機器１の本来の機能を実現する。家電機器１は例えば液晶テレビである。液晶テレビにおける本来の機能とは放送番組を受信して液晶ディスプレイに表示する機能である。具体的には本来機能部１８は、放送信号を受信するチューナー、チュナーで受信した信号を処理して画像信号と音声信号に変換するＣＰＵ、画像信号を出力する液晶ディスプレイ、音声信号を出力するスピーカなどから構成される。
【００２２】
なお、本来機能部１８のＣＰＵと制御部１１のＣＰＵとを共用してもよい。同様に、本来機能部１８の液晶ディスプレイと、画像表示部１３を実現する液晶ディスプレイとを共用してもよい。
【００２３】
図２に示すように、複数の家電機器１，２，３が通信手段４（例えばＢｌｕｅｔｏｏｔｈ（登録商標）、無線ＬＡＮなどの無線または有線の通信手段）を用いて通信可能な状態である。
【００２４】
なお、本実施の形態では家電機器１を液晶テレビであるとしたが、これに限定されるものではなく、家庭で使用される電機製品で設置して使用されるものであれば何でもよい。家電機器１は例えば冷蔵庫、エアコン、照明機器などでもよい。また、家電機器２，３も家電機器１と同様に、例えば、液晶テレビ、冷蔵庫、エアコン、照明機器などであるとする。
【００２５】
＜動作＞
図３は、家電機器１の動作を示すフローチャートである。家電機器１に備わる異常検知部１７が異常を検知した場合の家電機器１の動作を説明する。
【００２６】
家電機器１が設置されている室内で例えば火災が発生して室温が予め設定された値を超えると、異常検知部１７が異常を検知する。異常検知部１７は異常を検知すると、制御部１１に異常検知情報を送信する（ステップＳ０１）。
【００２７】
制御部１１が異常検知情報を受信すると（ステップＳ０２）、制御部１１は、異常検知情報に基づいて画像データと音声データを生成する。生成された画像データは画像表示部１３で出力され、生成された音声データは音声出力部１４で出力される（ステップＳ０３）。
【００２８】
異常検知情報には検知した異常の内容、家電機器１の設置場所、異常を検知した時間などの情報が含まれる。異常検知情報に基づいて生成される画像データと音声データこれらの内容を含むものである。
【００２９】
また、制御部１１が異常検知情報を受信すると、制御部１１は、受信した異常検知情報を、通信部１２を介して他の家電機器（即ち、家電機器２と家電機器３）に送信する（ステップＳ０４）。
【００３０】
次に、制御部１１は、記憶部１５に予め記憶されている避難行動指示情報（即ち、避難用画像データおよび避難用音声データ）を読み出す。そして、制御部１１は、読み出した避難用画像データおよび避難用音声データを画像表示部と音声出力部を用いて出力する（ステップＳ０５）。これにより家電機器１の周辺にいるユーザーに避難指示を行う。
【００３１】
避難行動指示情報は、家電機器１の設置場所からの避難経路、避難グッズ保管場所、避難時の体勢（火災発生の場合は体を低くする）などを含む。避難行動指示情報の内容は、ユーザーが予め設定することができる。
【００３２】
避難指示情報を画像表示部１３および音声出力部１４で一定時間出力した後、電源制御部１６において家電機器１の電源制御を行う（ステップＳ０６）。例えば、家電機器１がファンヒータであれば、電源制御部１６によって電源停止させ、ファンヒータを自動的に安全な状態にすることができる。また、家電機器が足元光などの電灯であれば、電源制御部１６によって電源起動させ、非常時が夜間であっても良好な視界を確保することができる。これによって、新たな２次災害や災害拡大が防げると同時に、ユーザーの避難を助けることが可能となる。
【００３３】
家電機器１が通信部１２を介して異常検知情報を送信すると、家電機器２，３は異常検知情報を受信する。家電機器２が通信部１２を介して異常検知情報を受信すると、家電機器２は、図３のステップＳ０３からＳ０６と同様の動作を行う。ただし、他の家電機器に異常検知情報を送信する動作（ステップＳ０４）は行わない。
【００３４】
つまり、家電機器２が異常検知情報を受信すると（ステップＳ０２）、家電機器２の制御部１１は、異常検知情報に基づいて画像情報と音声情報を生成して出力する（ステップＳ０３）。次に、制御部１１は、家電機器２の記憶部１５に予め記憶されている避難行動指示情報を読み出して出力する（ステップＳ０５）。そして、一定時間経過後、家電機器２の電源制御部は電源の制御を行う。家電機器３の動作は家電機器２と同様のため、説明を省略する。
【００３５】
以上、本発明の実施形態について説明したが、本発明の適用は本実施形態には限られず、その技術的思想の範囲内において様々に適用されうるものである。例えば、本実施形態では、家電機器１と異常検知部１７は室内に設置されていたが、屋外や壁面内に設置されていてもよい。
【００３６】
＜効果＞
本発明の実施形態における家電機器１は、災害についての異常を検知して異常検知情報を生成する異常検知部１７と、異常検知情報を受信する制御部１１と、画像表示部１３と、音声出力部１４と、記憶部１５と、を備え、記憶部１５には、避難を促す避難用画像データおよび避難を促す避難用音声データが予め記憶されており、制御部１１は、異常検知情報を受信すると、異常検知情報に基づく画像データおよび音声データを画像表示部１３、音声出力部１４のそれぞれに出力させ、避難用画像データおよび避難用音声データを画像表示部１３、音声出力部１４のそれぞれに出力させる。
【００３７】
本発明の構成によれば、異常検知部１７が異常を検知すると、家電機器１は、異常検知情報の内容を画像や音声を用いてユーザーに知らせる。また、本発明の構成によれば、家電機器１は、予め記憶された避難行動指示情報（即ち、避難用画像データおよび避難用音声データ）を用いてユーザーに避難行動を指示する。従って、冷静な対応が難しい非常事態であっても、ユーザーは適切な避難行動をとることができ、安全性の向上を図ることができる。
【００３８】
本発明の実施形態における家電機器１において、避難用画像データは、避難行動を指示する画像のデータを含み、避難用音声データは、避難行動を指示する音声のデータを含む。
【００３９】
本発明の構成によれば、家電機器１は、予め記憶された避難行動指示情報（即ち、避難用画像データおよび避難用音声データ）を用いてユーザーに避難行動を指示する。従って、冷静な対応が難しい非常事態であっても、ユーザーは適切な避難行動をとることができ、安全性の向上を図ることができる。
【００４０】
また、本発明の実施形態における家電機器１において、避難用画像データおよび避難用音声データは、ユーザーが予め設定した内容に基づくデータである。
【００４１】
従って、ユーザーは家電機器１の設置場所などに応じて適切な内容の避難用画像データおよび避難用音声データを設定することが可能である。よって、ユーザーのさらなる安全性の向上を図ることができる。
【００４２】
また、本発明の実施形態における家電機器１は、有線または無線で他の家電機器２，３と通信を行う通信部１２をさらに備え、制御部１１は、通信部１２を介して他の家電機器１，２に異常検知情報を送信し、制御部１１は、通信部１２を介して他の家電機器２，３から異常検知情報を受信する。
【００４３】
本発明の構成によれば、家電機器１が異常を検知した際に、他の家電機器２，３にも異常を検知したことを通知する。従って、異常が発生した場所から離れた場所にいるユーザーも異常が発生したことを知ることができる。これにより、ユーザーは早期に避難行動を開始することができる。また、早期に災害に対応でき、災害を小さくできる可能性が高まる。
【００４４】
また、本発明の実施形態における家電機器１は、家電機器１の電源の起動および停止を行う電源制御部１６をさらに備え、制御部１１は、異常検知信情報を受信すると、電源制御部１６を制御して家電機器１の電源の制御を行う。
【００４５】
本発明の構成によれば、家電機器１，２，３の電源制御を行うことができる。これにより、電源起動のまま避難すると災害が大きくなるような家電機器の電源を自動的にオフにすることができる。また、家電機器が、照明機器など、ユーザーの避難を助ける機器の場合は、電源を自動的にオンする。従って、災害拡大の防止と安全な避難確保ができる。
【００４６】
なお、本発明は、その発明の範囲内において、実施の形態を適宜、変形、省略することが可能である。
【符号の説明】
【００４７】
１，２，３  家電機器、４  通信手段、１１  制御部、１２  通信部、１３  画像表示部、１４  音声出力部、１５  記憶部、１６  電源制御部、１７  異常検知部、１８  本来機能部。
【図１】
2016143253.tif 000003
【図２】
2016143253.tif 000004
【図３】
2016143253.tif 000005